(57)【要約】【課題】本発明は、あらゆるスペースで、区画分け又は防球用としてスムーズにネット等の吊張体を吊張りすることができ、且つその変更も容易であるネット等の吊張体の吊張方法及びその吊張装置を提供することを課題とする。【解決手段】屋内で各種の目的で使用するネット等の吊張体を屋内の天井側に張設したウインチワイヤーを移動することで吊り張り移動する吊張体の吊張方法において、前記吊張体の上端側を平行に維持するように設けられた平行ガイドを天井側の円弧部分に沿って吊り下げられた複数のウインチワイヤー、又は天井側にエンドレス状態に設けられたウインチワイヤーに連結された複数の吊り下げワイヤーを移動することで昇降移動することである。【選択図】図１
2006187580.tif 000002
【特許請求の範囲】
【請求項１】
屋内で各種の目的で使用するネット等の吊張体を屋内の天井側に張設したウインチワイヤーを移動することで吊り張り移動する吊張体の吊張方法において、前記吊張体の上端側を平行に維持するように設けられた平行ガイドを天井側の円弧部分に沿って吊り下げられた複数のウインチワイヤー、又は天井側にエンドレス状態に設けられたウインチワイヤーに連結された複数の吊り下げワイヤーを移動することで昇降移動することを特徴とするネット等の吊張体の吊張方法。
【請求項２】
屋内で各種の目的で使用するネット等の吊張体と、天井側に張設したウインチワイヤーと、該ウインチワイヤーを移動するためのウインチとから構成された吊張体の吊張装置において、前記吊張体の上端側には、床面に対して平行に設けられた平行ガイドが設けられ、且つ該平行ガイドには、複数のウインチワイヤー、又は天井側にエンドレス状態に設けられたウインチワイヤーに連結された複数の吊り下げワイヤーが設けられていることを特徴とするネット等の吊張体の吊張装置。
【請求項３】
前記複数のウインチワイヤー、又は複数の吊り下げワイヤー間には、天井部分と平行ガイド間を区画するための第２の吊張体が設けられていることを特徴とする請求項２に記載のネット等の吊張体の吊張装置。
【請求項４】
前記第２の吊張体が、ウインチワイヤー、又は吊り下げワイヤーを移動することで、ウインチワイヤー、又は吊り下げワイヤーに沿って昇降すべく構成されている請求項３に記載のネット等の吊張体の吊張装置。
【発明の詳細な説明】
【発明の技術分野】
【０００１】本発明は、主に野球の練習場、テニス、バスケットボール等の球技に使用する屋内を使用目的（必要なコート毎、または種目毎）に応じて区画するためネットや、防球用のネットを吊り張りする際に使用するネット等の吊張体の吊張方法及びその吊張装置に関する。
【技術の背景】
【０００２】近年、体育館、野球の練習場としての屋根付き雨天練習場、屋根付き球場（通称、ドーム球場という）等の大きな空間部を有する屋内空間部を、使用目的（例えば、テニス等のコートを複数面取りする場合、又は野球の練習（内野外野の連携練習と打撃練習等に分ける場合）等）に応じて区画分けして同時にスムーズ（コート間でボールの飛び込み等がないように）に使用（試合、練習等）する場合、又は球技における防球用（観客席への球の飛び込み防止、又は隣り合うコートでの球の飛び込み防止等）として安全性を確保する場合に、ネット又はシートを用いて屋内空間部を区切って使用している。
【０００３】この場合に使用する装置としては、特許第３５０７９４９号等が開発された。
【０００４】この装置の概略を説明すると、屋内空間部の円弧状の天井側に沿って、ウインチワイヤーを設け、該ウインチワイヤーをウインチを用いて移動することで、直接（複数のウインチワイヤーをそれぞれ天井側より吊り下げてネット等の吊張体を連結する方法）又は間接的（区画する方向に沿って緊張状態で吊張されたガイドワイヤーに設けられたネット等の吊張体をガイドワイヤーの上部側でガイドワイヤーに平行状態に吊張されたウインチワイヤーで移動する方法、又はウインチワイヤーを天井側でエンドレス状態に設け該ウインチワイヤーにネット等の吊張体に連結された複数の吊り下げワイヤーを連結する方法）にネット等の吊張体を天井側より床面側まで吊り張りして、空間部を区画する装置が使用されている。
【発明が解決しようとする課題】
【０００５】しかしながら、上記従来の装置においては、ネット等の吊張体を天井側より床面側まで吊り張りしているために、例えば練習内容が変化する際、区画したネット等の吊張体を収納するのに、常にネット等の吊張体を天井側まで収納しなければならず、その収納時間がかかる等利用上の不便さが指摘されていた。
【０００６】また、吊張体としてネットの使用からシートの使用に変更する場合においてもその取り替えに時間を要するという問題点があった。
【０００７】そこで、本発明は、あらゆるスペースで、区画分け又は防球用としてスムーズにネット等の吊張体を吊張りすることができ、且つその変更も容易であるネット等の吊張体の吊張方法及びその吊張装置を提供することを目的とする。
【課題を解決するための手段】
【０００８】本発明は、上記目的を達成するために、屋内で各種の目的で使用するネット等の吊張体を天井側に張設したウインチワイヤーを移動することで吊り張り移動する吊張体の吊張方法において、前記吊張体の上端側を平行に形成するように設けられた平行ガイドを天井側の円弧部分に沿って吊り下げられた複数のウインチワイヤー、又は天井側にエンドレス状態に設けられたウインチワイヤーに連結された複数の吊り下げワイヤーを移動することで昇降することを特徴とする。
【０００９】また、屋内で各種の目的で使用するネット等の吊張体と、天井側に張設したウインチワイヤーと、該ウインチワイヤーを移動するためのウインチとから構成された吊張体の吊張装置において、前記吊張体の上端側には、床面に対して平行に設けられた平行ガイドが設けられ、且つ該平行ガイドには、複数のウインチワイヤー、又は天井側にエンドレス状態に設けられたウインチワイヤーに連結された複数の吊り下げワイヤーが設けられていることを特徴とする。
【００１０】特に、前記複数のウインチワイヤー、又は複数の吊り下げワイヤー間には、天井部分と平行ガイド間を区画するための第２の吊張体が設けられていることである。
【００１１】さらに、第２の吊張体が、ウインチワイヤー、又は吊り下げワイヤーを移動することで、ウインチワイヤー、又は吊り下げワイヤーに沿って昇降すべく構成されていることである。
【作用】
【００１２】屋内の広いスペースを複数に区画するため、又は屋内の球技時の防球用として使用するネット等の吊張体を吊張する場合において、円弧状の天井側に沿って複数のウインチワイヤーを設け、該ウインチワイヤーを天井側より吊り張りし、又は円弧状の天井側に沿ってウインチワイヤーをエンドレス状態に設け、該ウインチワイヤーに複数の吊り下げワイヤーを設け、前記ウインチワイヤー又は吊り下げワイヤーを吊張体の上端側を床面に対して平行にするために設けられた平行ガイドに連結する。
【００１３】そして、ウインチを駆動することでウインチワイヤーを移動して平行ガイドを所定の高さまで昇降移動することで該平行ガイドに設けられたネット等の吊張体を吊張して屋内を区画等する。前記ウインチワイヤー又は吊り下げワイヤーをネット等の吊張体の下端側まで挿通して連結することで、ウインチワイヤーを移動することで平行ガイドを一定の位置に維持した状態でネット等の吊張体のみを昇降することもできる。
【００１４】また、複数のウインチワイヤー、又は複数の吊り下げワイヤー間で天井部分と平行ガイド間に第２の吊張体を設けることにより、平行ガイドより天井部分を維持した状態で、さらに低い状態で平行ガイドに設けられたネット等の吊張体のみを移動することができ、区画状態の時間の短縮を行うことができる他、ネット等の吊張体が平行状態で昇降することができるので装置の簡略化が可能となる。
【００１５】また、第２の吊張体をウインチワイヤー、又は吊り下げワイヤーに沿って昇降すべく構成することによって、全体の収納時に吊張体を上昇して収納するとともに第２の吊張体を上昇して収納することで天井側に全体を収納することが可能となる。
【００１６】このように、本発明は吊張体を平行ガイドに設けることにより、昇降する時間の短縮を図ることができる他、吊張体移動の簡略化を行うことができる。
【００１７】また、装置の簡易化を図ることができるので、、装置全体のメンテナンスの回数を極力押さえることができる。
【実施の形態】
【００１８】本発明のネット等の吊張体の吊張装置は、下記のような３の実施例が含まれるものであり、以下それぞれの特徴を図面沿って説明する。
【００１９】図１は、本発明の第１の実施例でネット等の吊張体の吊張装置全体を示す概略説明図であり、図２、図３は、本発明の第２の実施例でネット等の吊張体の吊張装置全体を示す概略説明図であり、図４、図５は、本発明の第３の実施例でネット等の吊張体の吊張装置全体を示す概略説明図であり、図６は、本発明の第３の実施例でネット等の吊張体の吊張装置全体の第４の実施例を示す概略説明図である。
【００２０】先ず第１の実施例について説明する。本装置のネット吊張り装置１は、屋内空間部の側面に設けられたエンドレスウインチ２と、該エンドレスウインチ２に一端側を巻回し、屋内空間部の円弧状の天井部に沿って設けられた滑車３（滑車の代わりに案内レールを用いることも可能である。）に沿って緊張状態で吊り下げられた複数のウインチワイヤー４と、該ウインチワイヤー４が挿通され、その下端を床面に対して平行な平行ガイド５に取り付けられた吊張体６（シート、ネット、緞帳等）に連結されて構成されている。
【００２１】尚、上記ウインチワイヤー４の下端は、上記のように吊張体６の下端に連結する場合に限定されず平行ガイド５に連結することで、平行ガイド５を昇降するように構成することも可能である。
【００２２】次に上記構成のネット等の吊張体の吊張装置を使用して屋内を区画する場合について説明する。
【００２３】先ず、屋内空間部の区画部分に沿って設置された装置のエンドレスウインチ２を駆動してウインチワイヤー４を引き出して天井側より床側に下降移動して、平行ガイド５を挿通し吊張体６を挿通して該吊張体６の下端側で連結する。
【００２４】そして、ウインチワイヤー４を巻き取り方向に駆動し平行ガイド５が所定の位置に位置するまで上昇移動する。この状態で、平行ガイド５に設けられた吊張体６が空間部を区画することができる。このように、各ウインチワイヤー４は平行ガイド５があるために、天井部の円弧にかかわらずすべて一定の距離移動することで平行移動することができ、各ウインチワイヤー４の移動距離を制御することなく移動することができ、装置の簡易化を可能とする。
【００２５】その後、一時的に区画を解除する場合は、ウインチワイヤー４をさらに上昇移動することで吊張体６のみを平行ガイド５側に移動して、区画を一時的に解除することができる。このため、区画の解除が短時間で可能となる。
【００２６】さらに、全体を収納する場合は、ウインチワイヤー４をさらに上昇移動することで平行ガイド５側に収納された吊張体６を天井側に移動して収納することができる。
【００２７】次に第２の実施例について説明する。ネット吊張り装置１は、屋内空間部の側面に設けられたエンドレスウインチ（図示せず）と、該エンドレスウインチに一端側を巻回し、屋内空間部の円弧状の天井部に沿って設けられた滑車３（滑車の代わりに案内レールを用いることも可能である。）に沿って緊張状態で吊り下げられた複数のウインチワイヤー４と、該ウインチワイヤー４を挿通し、床面に対して平行な平行ガイド５と、該平行ガイド５の下方側に取り付けられ、前記ウインチワイヤー４を挿通しその下端側で連結した吊張体６（シート、ネット、緞帳等）と、平行ガイド５の上方側で、滑車３より下方側に設けられた第２吊張体７（シート、ネット等）とから構成されている。
【００２８】前記ウインチワイヤー４は平行ガイド５に設けられた孔を挿通した後吊張体６の下端で連結されているために、ウインチワイヤー４を移動すると先ず吊張体６が持ち上がることとなるたり、その後に平行ガイド５を上方に移動することとなる。
【００２９】上記平行ガイド５側より上方は、第２吊張体７が固定された状態で吊張しているために、上記第１実施例と同様に平行ガイド５に設けられた吊張体６をウインチワイヤー４の移動で昇降するだけで、容易に空間部を区画することが可能となる。また、収納する際も同様に、ウインチワイヤー４を上昇移動することで第２吊張体７及び吊張体６を折り畳みながら天井側に収納することができることとなる。
【００３０】また、必要に応じて、別体のウインチワイヤー（図示せず）を駆動して第２吊張体７のみを天井側に折り畳んで収納すべく構成することで、吊張体６及び平行ガイド５のみを第２吊張体７に連動せず独自に移動して収納することができることとなる。
【００３１】次に第３の実施例について説明する。ネット吊張り装置１は、屋内空間部の側面に設けられたエンドレスウインチ（図示せず）と、該エンドレスウインチに一端側を巻回し、屋内空間部の円弧状の天井部に床面に対して平行に設けられたレール９に設けられた滑車３（滑車の代わりに案内レールを用いることも可能である。）に沿って緊張状態で吊り下げられた複数のウインチワイヤー４と、該ウインチワイヤー４に設けられ、床面に対して平行な平行ガイド５と、該平行ガイド５の下方側に取り付けられ、前記ウインチワイヤー４が挿通されその下端で連結された吊張体６（シート、ネット、緞帳等）と、平行ガイド５の上方側で、滑車３より下方側に設けられた第２吊張体７（シート、ネット等）とから構成されている。
【００３２】前記ウインチワイヤー４は平行ガイド５に設けられた孔を挿通した後吊張体６の下端で連結されているために、ウインチワイヤー４を移動すると先ず吊張体６が持ち上がることとなるたり、その後に平行ガイド５を上方に移動することとなる。
【００３３】上記構成のネット等の吊張体の吊張装置を使用して空間部を区画する場合について説明する。
【００３４】先ず、屋内空間部の区画部分に沿って設置された装置のエンドレスウインチ２を駆動してウインチワイヤー４を平行に設けられたレール９に沿って引き出して天井側より床側に下降移動して、平行ガイド５を挿通し吊張体６を挿通して該吊張体６の下端側で連結する。この際、第２吊張体７は予めウインチワイヤー４に挿通して設置しておく。
【００３５】そして、ウインチワイヤー４を巻き取り方向に駆動し平行ガイド５が所定の位置に位置するまで上昇移動する。この状態で、平行ガイド５に設けられた吊張体６が空間部を区画することができ、レール９と平行ガイド５間は第２吊張体７で区画する。この際、レール９と平行ガイド５とが床面に平行であるためにその構成が簡易となり、又昇降移動もウインチワイヤー４を一定量移動するたけで容易に吊張体６を昇降することができる。
【００３６】その後、一時的に区画を解除する場合は、ウインチワイヤー４をさらに上昇移動することで吊張体６のみを平行ガイド５側に移動して、区画を一時的に解除することができる。このため、区画の解除が短時間で可能となる。
【００３７】さらに、全体を収納する場合は、ウインチワイヤー４をさらに上昇移動することでレール９側に平行ガイド５側に収納された吊張体６を移動して収納することができる。
【００３８】次に、一時的に区画を解除する場合は、ウインチワイヤー４を駆動することで吊張体６のみを上方移動する。
【００３９】また、必要に応じて、別体のウインチワイヤー（図示せず）を駆動して第２吊張体７のみを上方に収納すべく構成することも可能である。
【００４０】次に第４の実施例について説明する。ネット吊張り装置１は、屋内空間部の側面に設けられたエンドレスウインチ２と、該エンドレスウインチ２に一端側を巻回し、屋内空間部の円弧状の天井部に設けられた滑車３（滑車の代わりに案内レールを用いることも可能である。）に沿って緊張状態で吊り下げられた複数のウインチワイヤー４と、該ウインチワイヤー４に設けられ、床面に対して平行な平行ガイド５と、該平行ガイド５の下方側に取り付けられた吊張体６（シート、ネット、緞帳等）と、平行ガイド５の上方側で、滑車３より下方側に設けられた第２吊張体７（シート、ネット等）とから構成されている。
【００４１】前記平行ガイド５の下方側に取り付けられた吊張体６は、第２ウインチ２Ａが平行ガイド５に沿ってエンドレス状態に設けられ、平行ガイド５に固定されたガイドレール（図示せず）に設けられた吊張体６の先端側と連結され、該吊張体６を左右方向に開閉移動すべく構成されている。
【００４２】上記構成のネット等の吊張体の吊張装置を使用して空間部を区画する場合について説明する。
【００４３】先ず、エンドレスウインチ２を駆動してウインチワイヤー４を下方に移動して、吊張体６の設けられた平行ガイド５を連結する。その後、ウインチワイヤー４を逆７方向に駆動することでウインチワイヤー４を上方に移動し、平行ガイド５を一定の位置に上昇させた後、第２ウインチ２Ａを駆動して吊張体６を平行ガイド５に沿って開閉移動することで屋内空間部を区画する。
【００４３】次に、一時的に区画を解除する場合は、第２ウインチ２Ａのみを駆動して吊張体６のみを側面側に開閉移動して区画を解除する。
【００４４】このように、本発明の各実施例は平行ガイドは利用することにより、吊張体６を床面に対して平行移動することができ、その装置の構成が簡易となり、メンテナンス等が少なくてすむという利点がある。
【００４５】尚、上記各実施例では、ウインチワイヤー２を直接平行ガイド５に連結又は平行ガイド５に設けられた吊張体６に連結することで、平行ガイド５及び吊張体６を昇降したが、本発明ではこの構成に限定されるものでなく、ウインチワイヤー２を円弧状の天井部に沿ってエンドレス状態に設け、該ウインチワイヤー２に複数の吊り下げワイヤー１１を取り付け、吊り下げワイヤー１１を直接平行ガイド５に連結又は平行ガイド５に設けられた吊張体６に連結することで、平行ガイド５及び吊張体６を昇降することも可能である。
【図面の簡単な説明】
【図１】は、本発明の一実施例であるネット等の吊張体の吊張装置全体の第１の実施例を示す概略説明図
【図２】は、ネット等の吊張体の吊張装置全体の第２の実施例を示す概略説明図。
【図３】は、ネット等の吊張体の吊張装置全体の第２の実施例を示す概略説明図。
【図４】は、ネット等の吊張体の吊張装置全体の第３の実施例を示す概略説明図。
【図５】は、ネット等の吊張体の吊張装置全体の第３の実施例を示す概略説明図。
【図６】は、ネット等の吊張体の吊張装置全体の第４の実施例を示す概略説明図。
【符号の説明】
２：ウインチ、  ４：ウインチワイヤー
【図１】
2006187580.tif 000003
【図２】
2006187580.tif 000004
【図３】
2006187580.tif 000005
【図４】
2006187580.tif 000006
【図５】
2006187580.tif 000007
【図６】
2006187580.tif 000008